(57)【要約】【課題】  各種用途のために使用される袋、特に、家庭の台所の流し台において生ゴミ等を収納する水切り袋として好適に使用することができる袋を提供する。【解決手段】  表裏ネットシート部により上部開口部を備えた有底の袋部を形成し、裏ネットシート部の外側に取付保持片の基部を固着した袋体である。前記取付保持片は、上部開口部の近傍で外側に折返されることにより前記基部の外側に臨む延長部を延設すると共に、該延長部から更に延長されることにより裏ネットシート部の外側に臨む先端部を延設している。前記取付保持片の先端部は、裏ネットシート部の外側部に粘着される粘着剤層を設け、前記裏ネットシート部の外側部は、網目を形成したネット素材により前記粘着剤層を剥離自在に粘着せしめる剥離容易部を形成している。袋体は、不使用の状態で、取付保持片の延長部を折返されると共に、粘着剤層を前記剥離容易部に粘着されており、粘着剤層を被覆し保護するための離型テープを必要としない。【選択図】  図１
2006016135.tif 000002
【特許請求の範囲】
【請求項１】
表裏ネットシート部(2)(3)により上部開口部(4)を備えた有底の袋部(5)を形成し、裏ネットシート部(3)の外側に取付保持片(8)の基部(8a)を固着した袋体(1)において、
前記取付保持片(8)は、上部開口部(4)の近傍で外側に折返されることにより前記基部(8a)の外側に臨む延長部(8b)を延設すると共に、該延長部(8b)から更に延長されることにより裏ネットシート部(3)の外側に臨む先端部(8c)を延設しており、
前記取付保持片(8)の先端部(8c)は、裏ネットシート部(3)の外側部に粘着される粘着剤層(10)を設け、前記裏ネットシート部(3)の外側部は、網目を形成したネット素材により前記粘着剤層(10)を剥離自在に粘着せしめる剥離容易部(14)を形成しており、
袋体(1)は、不使用の状態で、取付保持片(8)の延長部(8b))を折返されると共に、粘着剤層(10)を前記剥離容易部(14)に粘着されて成ることを特徴とする袋。
【請求項２】
取付保持片(8)は、袋体(1)の幅方向に関して、少なくとも先端部(8c)と延長部(8b)を分割することにより、複数の分割片(8A)(8B)を構成して成ることを特徴とする請求項１に記載の袋。
【発明の詳細な説明】
【技術分野】
【０００１】
本発明は、各種用途のために使用される袋に関し、例えば、家庭の台所の流し台において生ゴミ等を収納する水切り袋として好適に使用することができる袋を提供する。
【背景技術】
【０００２】
従来より、家庭の台所の流し台において生ゴミを収納する便宜のため、ほぼ三角形のザル状の水切り容器が提供されている。然しながら、ユーザは、生ゴミを廃棄する際に、生ゴミを該容器からゴミ袋に移しかえなければならないという不便がある。
【０００３】
そこで、生ゴミ等を収納することができ、しかも、そのまま廃棄できるようにした水切り袋の提供が望まれている。ところで、袋に水切り機能を持たせるためには、袋をネットシートにより形成すれば良い。従来、水切りを意図したものではないが、通気性のためにネットシートで形成したネット袋から成る商品包装用の袋を本発明者において多く提案している。
【特許文献１】特許第２９６４３２９号公報
【特許文献２】特許第３２１２２８９号公報
【特許文献３】特許第３４６４１７９号公報
【発明の開示】
【発明が解決しようとする課題】
【０００４】
ネット袋を台所の流し台における水切り袋として使用するためには、該袋を流し台の適所に固定できるように構成する必要がある。ネット袋を単に流し台に載置するときは、袋が容易に転倒し、収納した生ゴミが散乱してしまうからである。
【０００５】
この点に関して、本発明者が先に提案したネット袋は、各種商品の販売のために提供される商品包装用の袋であるため、表裏ネットシート部により上部開口状の袋体を形成し、裏ネットシート部に設けた封口片を表ネットシートの外側に折返すことにより、袋体の上部開口部を封口自在とするように構成しており、該封口片に粘着剤層を設けている。尚、袋がユーザに提供される状態において、粘着剤層は、離型テープにより被覆されている。従って、ユーザは、袋に商品を収納した後、離型テープを剥離することにより粘着剤層を露出せしめ、封口片の折返と粘着剤層の粘着により袋の上部開口部を封口する。
【０００６】
ところで、水切り袋の場合は、袋体の上部開口部を封口することは必ずしも必要でないので、前述のような封口片を設ける必要はない。そこで、前述のようなネット袋の構成に基づきながらも、封口片に代えて、袋を流し台の適所に固定するための取付保持片を設けることが得策である。
【０００７】
即ち、ネット袋に取付保持片を設け、該取付保持片を流し台の天板壁に固着できるように構成すれば、袋部が流し台のシンクの側壁に沿って吊下状に固定保持されるので、使い勝手が良くなる。
【０００８】
この際、固着手段は、公知の袋と同様に粘着剤層により構成するのが安価であり簡便に使用できるが、従来の技術的知見においては、粘着剤層を離型テープにより被覆し保護することが必要であり、袋の提供を受けたユーザが離型テープを剥離することにより粘着剤層を使用可能とするという既成観念が定着している。
【０００９】
然しながら、離型テープは、もっぱら粘着剤層を被覆し保護するためのものであり、剥離の後は廃棄される運命にあるから、多数の袋体を消費するときは多数の離型テープがゴミとなり、廃棄物処理による環境問題を提起する。従って、粘着剤層を設けながらも、このような離型テープが不要になるように構成することが望ましい。
【００１０】
本発明は、家庭の台所の流し台において生ゴミ等を収納する水切り袋として好適に使用することができるネット袋を提供するものであり、この際、ネット袋に取付保持片を設け、該取付保持片を流し台の天板壁に固着可能に構成することにより、袋部を流し台のシンクの側壁に沿って吊下状に固定保持できるようにした使い勝手の良い水切り袋を提供することを課題とする。
【００１１】
そして、取付保持片の固着手段を粘着剤層により形成しながらも、従来のような離型テープが不要となるように構成することにより、環境問題に適応することを課題とする。
【課題を解決するための手段】
【００１２】
そこで、前記課題を解決するため本発明が手段として構成したところは、表裏ネットシート部により上部開口部を備えた有底の袋部を形成し、裏ネットシート部の外側に取付保持片の基部を固着した袋体において、前記取付保持片は、上部開口部の近傍で外側に折返されることにより前記基部の外側に臨む延長部を延設すると共に、該延長部から更に延長されることにより裏ネットシート部の外側に臨む先端部を延設しており、前記取付保持片の先端部は、裏ネットシート部の外側部に粘着される粘着剤層を設け、前記裏ネットシート部の外側部は、網目を形成したネット素材により前記粘着剤層を剥離自在に粘着せしめる剥離容易部を形成しており、袋体は、不使用の状態で、取付保持片の延長部を折返されると共に、粘着剤層を前記剥離容易部に粘着されて成る点にある。
【００１３】
取付保持片は、袋体の幅方向に関して、少なくとも先端部と延長部を分割することにより、複数の分割片を構成することが好ましい。
【発明の効果】
【００１４】
本発明によれば、袋体は、表裏ネットシート部により形成されているので、水切り性が優れており、従って、家庭の台所における流し台に設置することにより、生ゴミ等を収納する水切り袋として簡便に使用することができる。そして、生ゴミ等を収納した後は、袋ごと廃棄することができる。
【００１５】
しかも、水切り袋として使用する際、ユーザは、取付保持片を粘着剤層を介して流し台の天板壁に固着することにより、袋部を流し台のシンクの側壁に沿って吊下状に固定保持できるので、使い勝手が極めて良い。
【００１６】
取付保持片は、袋体の幅方向に関して、少なくとも先端部と延長部を分割することにより、複数の分割片を構成することが好ましく、これによれば、分割片が相互に拡開自在に構成されるので、袋体を幅方向に自由に湾曲せしめることができ、袋体をシンクのコーナ部分に沿って設置し、その状態で分割片を流し台の天板壁に好適に固着することができるという利点がある。
【００１７】
そして何よりも、袋体は、提供される当初から、取付保持片を折返状態に保持し、粘着剤層を袋体それ自体の一部分を構成する裏シート部の剥離容易部により被覆せしめているので、従来のような離型テープは不要であり、このため、剥離後の離型テープによる廃棄ゴミ処理の問題を生じることはない。しかも、剥離容易部は裏ネットシート部の網目を形成したネット素材により構成され、粘着剤層を仮粘着状態で粘着させているので、袋体の使用時における粘着剤層の剥離が容易である。更に、粘着剤層に対する仮粘着部分は網目部分に限定されており、それ以外の部分は何らの接触を受けていないので、粘着剤層を剥離容易部から剥離した状態で、粘着剤層の粘着力が低下することはなく、取付保持片を流し台の天板壁に好適に固着することができる。
【発明を実施するための最良の形態】
【００１８】
以下図面に基づいて本発明の好ましい実施形態を詳述する。
【００１９】
（袋体の実施形態）
図１ないし図３は、本発明に係る袋体の１実施形態を示している。図１は、袋体の製袋後の状態を示し、ユーザに提供されるときの状態を示しており、これが請求項１に記載された袋体の形態である。図２は、ユーザが袋体を使用するために取付保持片を展開した状態を示している。図３は、ユーザが袋体を台所の流し台に取付固着することにより、生ゴミ等の廃棄用水切り袋として使用した状態を示している。
【００２０】
図１において、袋体１は、ネット状の表ネットシート部２とネット状の裏ネットシート部３により上部開口部４を有する有底の収納室５ａを備えた袋部５を形成している。この際、表裏ネットシート部２、３は、多数のモノフィラメント状の線条を交差して配置することにより網目を形成した伸縮性のある合成樹脂製のネット素材を図示しているが、これに限定されないことは勿論であり、合成樹脂又は不織布もしくは織布その他の細幅テープ状の偏平糸を編組等により形成したネット素材を使用しても良い。
【００２１】
表裏ネットシート部２、３は、図１（Ｂ）に示すように、１枚のネット素材を半折することにより袋体１の底部６を形成しても良いが、図１（Ｃ）に示すように２枚のネット素材を相互に袋体の幅方向に溶着６ａすることにより袋体１の底部６を形成しても良く、更には、図１（Ｄ）に示すように、底部６にガゼット６ｂを形成しても良い。表裏ネットシート部２、３の両側縁は溶着７、７されることによりサイドシール部を形成しており、これにより収納室５ａの両側部と底部の三方を閉塞した袋部５を構成している。
【００２２】
裏ネットシート部３には、袋体１の全幅にわたる合成樹脂フィルム製の取付保持片８が設けられている。取付保持片８は、基部８ａを裏ネットシート部３の外側に重合されると共に袋体１の幅方向に向けて裏側溶着線９、９により溶着されており、該基部８ａから延長部８ｂを延設すると共に、該延長部８ｂから更に先端部８ｃを延設している。延長部８ｂは、上部開口部４の近傍で外側に折返されることにより基部８ａの外側に重なるように臨んでおり、先端部８ｃは、基部８ａを越えて下方に延び、裏ネットシート部３の外側部に粘着される粘着剤層１０を設けている。この際、後述するように、取付保持片８の少なくとも先端部８ｃの表面には、コロナ放電処理等による処理表面１５が形成され（図５又は図７参照）、粘着剤層１０を強固に粘着せしめている。
【００２３】
前記粘着剤層１０に対して、裏ネットシート部３の前記基部８ａの下側に位置する部位は、その網目を形成したネット素材それ自体により構成された仮受部１３により、前記粘着剤層１０を剥離自在に仮粘着状態で粘着せしめる剥離容易部１４を形成している。
【００２４】
表ネットシート部２は、上部開口部４に臨む開口縁部の外側に、袋体１の全幅にわたる合成樹脂フィルム製の補強片１１を添設しており、該補強片１１は該開口縁部に対して袋体１の幅方向に向けて表側溶着線１２、１２により溶着されている。
【００２５】
取付保持片８は、袋体１の幅方向に関して、少なくとも、先端部８ｃと延長部８ｂをスリット１６を介して分割することにより、複数の分割片８Ａ、８Ｂを構成している。
【００２６】
尚、前記サイドシール部を構成する溶着線７、７の上部には、表裏ネットシート部２、３を挟んで、取付保持片８の基部８ａと補強片１１をサンドイッチ状に一体に溶着する
太幅溶着線７ａ、７ａが形成されている（図２（Ａ）参照）。
【００２７】
（袋の使用方法）
上述のように、袋体１は、製袋の後、ユーザに提供されるときには、取付保持片８の延長部８ｂを外側に折返され、先端部８ｃの粘着剤層１０を裏ネットシート部３の剥離容易部１４に粘着せしめられている。即ち、粘着剤層１０は、剥離容易部１４を構成する仮受部１３により被覆され保護されている。
【００２８】
そこで、袋体１を提供されたユーザは、袋体１を水切り袋として使用するに先立ち、図２に示すように、粘着剤層１０を剥離容易部１４から剥離することにより、取付保持片８の延長部８ｂ及び先端部８ｃが袋体１の上部開口部４の上方に延びるように展開することにより、袋部５を開口せしめる。この際、前述のように、取付保持片８の粘着剤層１０は剥離容易部１４に弱着状態で粘着されているので、ユーザは、先端部８ｃを摘んで引き離すことにより、粘着剤層１０を容易に剥離することができる。しかも、粘着剤層１０は、剥離容易部１４におけるネット素材の格子状の線条だけに粘着し、それ以外の部分は何ら粘着されない状態とされていたものであるから、剥離容易部１４から剥離した後の粘着力を十分を保持している。
【００２９】
そこで、図３に示すように、袋部５を流し台１７のシンク側壁１７ａに沿わしめた状態で、取付保持片８の延長部８ｂを天板壁１７ｂに重ね合わせ、先端部８ｃを粘着剤層１０により天板壁１７ｂに粘着せしめれば、袋体１は、好適に吊下状に取付保持される。この際、袋体１の底部は、シンクの底壁に載置せしめた状態でも良く、或いは、宙吊り状に保持せしめた状態でも良い。
【００３０】
上述のように、取付保持片８は、袋体１の幅方向に分割された複数の分割片８Ａ、８Ｂを構成しているので、図示のように袋体１を幅方向に湾曲せしめたとき、分割片８Ａ、８Ｂが相互に拡開する。従って、袋体１をシンクのコーナ部分に沿わせて設置し、拡開された分割片８Ａ、８Ｂを粘着剤層１０を介して流し台の天板壁１７ｂに好適に固着することができる。
【００３１】
ところで、袋体１に生ゴミ等が充填された後、廃棄するに際しては、流し台の天板壁１７ｂから取付保持片８を引き剥がし、袋体ごと廃棄すれば良い。この際、粘着剤層１０は処理表面１５を介して取付保持片８の先端部８ｃに強力に粘着されているので、該先端部８ｃに追従して天板壁１７ｂから剥離される。即ち、先端部８ｃを引き剥がしたとき、粘着剤層１０が天板壁１７ｂに残存して汚損するようなことがない。
【００３２】
（製造方法の第１例）
図４及び図５は、上記実施形態として説明した袋体の製造方法の第１例を示している。図４（Ａ）に示すように、ネット素材から成る帯状の表裏ネットシート素材２Ｓ、３Ｓが相互に重ね合わせられた状態で帯長手方向に移送される。この際、図示省略しているが、裏ネットシート素材３Ｓに対して表ネットシート素材２Ｓの一側縁が１枚のシートを半折することにより又は２枚のシートを溶着することにより連結されており、他側縁の開口縁は開放せしめられている。
【００３３】
裏ネットシート素材Ｓ３の側縁の近傍部の外側には、帯状の合成樹脂フィルムから成る取付保持片素材８Ｓが移送方向に延びる溶着線９Ｓ、９Ｓを介して溶着され連設されており、該取付保持片素材８Ｓを表ネットシート素材２Ｓの開口縁から突出せしめている。図５に示すように、取付保持片素材８Ｓは、裏ネットシート素材Ｓ３から突出する延長部８ｂ及び／又は基部８ａの外側面を溶着阻止剤１８のコーティング等により被覆され、先端部８ｃの近傍外側面に形成されたコロナ放電処理等による処理面１５に帯長手方向に連続的に延びる粘着剤層１０Ｓを設けている。この際、溶着阻止剤１８は、延長部８ｂの外側面の全面に設けても良いが、後述する分断線Ｃに沿う溶着線７Ｓの部分だけに設けても良い。
【００３４】
また、表ネットシート素材Ｓ２の開口縁の近傍外側面には、テープ状の合成樹脂フィルムから成る補強片素材１１Ｓが移送方向に延びる溶着線１２Ｓ、１２Ｓを介して溶着され添設されている。
【００３５】
図示実施形態の場合、図５（Ａ）に示すように、表裏ネットシート素材Ｓ２、Ｓ３を構成する合成樹脂素材は、相互に同質の樹脂、例えばポリエチレン等の特定樹脂Ｒ１により形成されており、従って、加熱溶融することにより表裏ネットシート素材Ｓ２、Ｓ３を相互に溶着可能となるように構成されている。これに対して、取付保持片素材８Ｓは、前記特定樹脂Ｒ１（例えばポリエチレン）から成る内層８ｉと、該特定樹脂とは異質の樹脂Ｒ２（例えばポリプロピレン、ポリエステル、ナイロンその他）から成る外層８ｈをラミネートした２層フィルムから構成され、内層８ｉを裏ネットシート素材Ｓ３に対して溶着線９Ｓ、９Ｓにより溶着されている。即ち、取付保持片素材８Ｓの内層８ｉと裏ネットシート素材Ｓ３は、同一又は同系の特定樹脂Ｒ１により形成されているので、加熱溶融により相互に強固に溶着する。そして、延長部８ｂにおける外層８ｈに前記溶着阻止剤１８をコーティングしている。或いは、図示省略しているが、取付保持片素材８Ｓを前記特定樹脂Ｒ１（例えばポリエチレン）の単層フィルムから構成し、加熱溶融により裏ネットシート素材Ｓ３に対して強固に溶着せしめるが、前述と同様に、延長部８及び／又は基部８ａにおける外側面に前記溶着阻止剤１８をコーティングしている。
【００３６】
補強片素材１１Ｓは、取付保持片素材８Ｓと同様に、特定樹脂Ｒ１（例えばポリエチレン）から成る内層１１ｉと、該特定樹脂とは異質の樹脂Ｒ２（例えばポリプロピレン、ポリエステル、ナイロンその他）から成る外層１１ｈをラミネートした２層フィルムから構成されており、内層１１ｉを表ネットシート素材Ｓ２に対して溶着線１２Ｓ、１２Ｓにより溶着されている。即ち、補強片素材１１Ｓの内層１１ｉと表ネットシート素材Ｓ２は、同一又は同系の特定樹脂Ｒ１により形成されているので、加熱溶融により相互に強固に溶着する。或いは、図示省略しているが、補強片素材１１Ｓを前記特定樹脂Ｒ１（例えばポリエチレン）の単層フィルムから構成し、加熱溶融により表ネットシート素材Ｓ２に対して強固に溶着せしめている。
【００３７】
以上のように、表裏ネットシート素材２Ｓ、３Ｓと、粘着剤層１０Ｓを備えた取付保持片素材８Ｓと、補強片素材１１Ｓとが結合されることにより帯状の一次構成体Ｋ１が構成される。この一次構成体Ｋ１は、帯長手方向に所定間隔をあけて取付保持片素材８Ｓにスリット１６を形成し、図４（Ａ）に示すように帯長手方向に移送される。
【００３８】
前記一次構成体Ｋ１は、次いで、図４（Ｂ）及び図５（Ｂ）に示すように、取付保持片素材８Ｓの延長部８ｂを裏ネットシート３Ｓの外側に向けて折返され、折返された取付保持片素材８Ｓの先端部８ｃにおける粘着剤層１０Ｓを裏ネットシート素材３Ｓに粘着することにより帯状の二次構成体Ｋ２が形成される。
【００３９】
その後、二次構成体Ｋ２は、間欠移送され、図４（Ｂ）及び図５（Ｃ）に示すように、帯幅方向の分断線Ｃに沿って溶着線７Ｓを介して溶着されると共に分断され、これにより図１に示したような袋体１が得られる。分断線Ｃに沿う溶着・分断は、溶断刃により溶着と分断を同時に行う溶断方法に基づいても良いが、押圧加熱手段で溶着した後にカッター手段で切断する方法に基づいても良い。
【００４０】
前記分断線Ｃに沿う溶着線７Ｓを形成するに際して、図５に示すように、取付保持片素材８Ｓは、延長部８ｂの折返部において、該延長部８ｂと基部８ａの外層８ｈ（特定樹脂Ｒ２どうし）を重合され、その状態で加熱押圧されるが、折返重合部の相互（延長部８ｂと基部８ａの一方又は両方）に溶着阻止剤１８を介装しているので、相互に溶着されることはない。従って、分断線Ｃに沿う溶着線７Ｓを形成したとき、表裏ネットシート素材２Ｓ、３Ｓだけが溶着され、図１に示したようなサイドシール部を構成する溶着７、７を形成し、取付保持片素材８Ｓにおける折返重合された延長部８ｂと基部８ａは相互に溶着されない。
【００４１】
このようにして得られた袋体１は、前記溶着線７Ｓが形成されているにもかかわらず、溶着阻止剤１８による溶着阻止により、取付保持片８を折返状態から容易に展開することができ、上述した袋体１の目的を達成することができる。
【００４２】
（製造方法の第２例）
図６及び図７は、上記実施形態として説明した袋体の製造方法の第２例を示している。表裏ネットシート素材２Ｓ、３Ｓと、粘着剤層１０Ｓを備えた取付保持片素材８Ｓと、補強片素材１１Ｓとが結合されることにより帯状の一次構成体Ｋ１が構成され、帯長手方向に移送される点については、図４及び図５に示した第１例の製造方法と同様である。
【００４３】
そこで、図６（Ａ）及び図７（Ｂ）に示すように、該一次構成体Ｋ１を間欠移送することにより、帯幅方向の分断線Ｃに沿って表裏ネットシート素材２Ｓ、３Ｓを相互に溶着することにより溶着線７Ｓを形成する。この際、取付保持片素材８Ｓは開放されているので、溶着線７Ｓにより表裏ネットシート素材２Ｓ、３Ｓだけが相互に溶着される。従って、第１例について説明したような溶着阻止剤１８を取付保持片素材８Ｓの延長部８ｂにコーティングする必要はない。
【００４４】
溶着線７Ｓを形成した後、前記一次構成体Ｋ１における取付保持片素材８Ｓを裏ネットシート素材３Ｓの外側に向けて折返し、折返された取付保持片素材８Ｓの粘着剤層１０Ｓを裏ネットシート素材Ｓ２に粘着することにより、図６（Ｂ）及び図７（Ｃ）に示すような帯状の二次構成体Ｋ２が形成される。
【００４５】
その後、前記二次構成体Ｋ２を前記分断線Ｃに沿って分断することにより袋体１が得られる。分断方法は、カッター等の切断手段により行うことが好ましく、非加熱による裁断手段が採用される。
【００４６】
このようにして得られた袋体１は、取付保持片８が折返状態で溶着手段による加熱溶着を受けていないので、折返状態から容易に展開することができ、上述した袋体１の目的を達成することができる。
【図面の簡単な説明】
【００４７】
【図１】本発明に係る袋の１実施形態であり、製袋後の袋であってユーザに提供されるときの状態を示しており、（Ａ）は正面図、（Ｂ）はＢ−Ｂ線に沿う中央縦断面図、（Ｃ）は底部の設計変更例を示す断面図、（Ｄ）は底部の別の設計変更例を示す断面図である。
【図２】本発明に係る袋の１実施形態であり、袋の提供を受けたユーザが使用のために取付保持片を展開した状態を示しており、（Ａ）は正面図、（Ｂ）はＢ−Ｂ線に沿う中央縦断面図である。
【図３】本発明に係る袋の第１実施形態であり、ユーザが袋に生ゴミ等を収納するため流し台に取付保持した状態を示しており、（Ａ）は斜視図、（Ｂ）は中央縦断面図である。
【図４】本発明に係る袋の製造方法の第１例を示しており、（Ａ）は一次構成体を示す斜視図、（Ｂ）は二次構成体を示す斜視図である。
【図５】製造方法の第１例における断面図を示しており、（Ａ）は一次構成体の断面図、（Ｂ）は二次構成体の断面図、（Ｃ）は得られた袋体の断面図である。
【図６】本発明に係る袋の製造方法の第２例を示しており、（Ａ）は一次構成体を示す斜視図、（Ｂ）は二次構成体を示す斜視図である。
【図７】製造方法の第２例における断面図を示しており、（Ａ）は一次構成体の断面図、（Ｂ）は一次構成体に溶着線を施した状態の断面図、（Ｃ）は二次構成体の断面図である。
【符号の説明】
【００４８】
１    袋体
２    表ネットシート部
３    裏ネットシート部
４    上部開口部
５    袋部
７    溶着（サイドシール部）
８    取付保持片
９    裏側溶着線
１０    粘着剤層
１１    補強片
１２    表側溶着線
１４    剥離容易部
【図１】
2006016135.tif 000003
【図２】
2006016135.tif 000004
【図３】
2006016135.tif 000005
【図４】
2006016135.tif 000006
【図５】
2006016135.tif 000007
【図６】
2006016135.tif 000008
【図７】
2006016135.tif 000009